(57)【要約】【課題】住宅に使用される洗濯物を室内で乾燥させる装置において、洗濯を吊り干すために洗濯物を移動させる運搬作業を少なくし、洗濯干しにおける作業負担の軽減を図る洗濯物の乾燥方法と洗濯物の乾燥システムを提供することを目的とする。【解決手段】洗濯機３と、室内空間１の空気を循環させる送風ユニット５と、室内空間の空気を排気する排気手段としての窓１１とを室内空間１に備え、送風ユニット５は循環気流の出口である吹出口８を有し、吹出口８から吹出される気流が洗濯物１２にあたるように洗濯物１２を配置するという構成にしたことにより、洗濯と洗濯干しといった異なる作業が同一の空間内で完結し、洗濯物の吊り干し作業を効率的に行なえる洗濯物の乾燥方法が得られる。【選択図】図２
2011030875.tif 000002
【特許請求の範囲】
【請求項１】
洗濯機と、室内空間の空気を循環させる送風手段と、前記室内空間の空気を排気する排気手段とを前記室内空間に備え、前記送風手段は循環気流の出口である吹出口を有し、前記吹出口から吹出される気流が洗濯物にあたるように前記洗濯物を配置したことを特徴とする洗濯物の乾燥方法。
【請求項２】
上記洗濯機の上方空間に上記洗濯物を配置したことを特徴とする請求項１記載の洗濯物の乾燥方法。
【請求項３】
上記洗濯機の近傍空間に上記洗濯物を配置したことを特徴とする請求項１記載の洗濯物の乾燥方法。
【請求項４】
洗濯機と、物干し竿と、室内空間の空気を循環させる送風手段と、前記室内空間の空気を排気する排気手段とを前記室内空間に備え、前記物干し竿には洗濯物が吊り下げられ、前記送風手段は循環気流の出口である吹出口を有し、前記吹出口から吹出される気流が前記洗濯物にあたるように前記物干し竿を配置したことを特徴とする洗濯物の乾燥システム。
【請求項５】
上記洗濯機の上方空間に上記物干し竿を配置したことを特徴とする請求項４記載の洗濯物の乾燥システム。
【請求項６】
上記物干し竿の軸方向が上記洗濯機の背面と略平行となるように配置したことを特徴とする請求項５記載の洗濯物の乾燥システム。
【請求項７】
上記洗濯機の上方に上記吹出口を配置したことを特徴とする請求項５記載の洗濯物の乾燥システム。
【請求項８】
上記吹出口はスリット状であって、前記吹出口の長手方向が上記洗濯機の背面と略平行となるように配置したことを特徴とする請求項５記載の洗濯物の乾燥システム。
【請求項９】
上記洗濯機の上方空間に上記物干し竿を配置するとともに、前記洗濯機の近傍空間にも物干し竿を配置したことを特徴とする請求項４記載の洗濯物の乾燥システム。
【請求項１０】
上記吹出口に気流方向を変化させる風向偏向手段を備えたことを特徴とする請求項９記載の洗濯物の乾燥システム。
【請求項１１】
上記室内空間の隣に浴室を配置し、前記浴室には前記浴室の空気を屋外に排出する換気扇を有し、前記室内空間と前記浴室との間には開閉可能なドアを備え、上記排気手段として前記ドアにドア通風路を有したことを特徴とする請求項４記載の洗濯物の乾燥システム。
【請求項１２】
上記送風手段の動作に連動し、上記換気扇が動作を開始することを特徴とする請求項１１記載の洗濯物の乾燥システム。
【発明の詳細な説明】
【技術分野】
【０００１】
本発明は、洗濯物を室内で乾燥させる装置に関するものである。
【背景技術】
【０００２】
近年、天候や屋外空気汚染や有職主婦の増加や防犯上の問題または生活スタイルの変化などに伴い、洗濯物を室内で乾燥させたいといった要望が多くなってきている。
【０００３】
従来、この種の洗濯物を室内で乾燥させる装置は、浴室内で洗濯物を乾燥させるために浴室内の天井に備えられたものが知られている（例えば、特許文献１参照）。
【０００４】
図８に示すように、浴室１０１に備えられた浴室換気乾燥機１０２は換気ファン１０３と循環ファン１０４と加熱手段としての熱交換器１０５と湿度検知手段が備えられ、循環ファン１０４で熱交換器１０５を通過した浴室空気を加熱し、浴室内の水蒸気を換気ファン１０３で排気することで、浴室に吊るされた洗濯物を乾燥させるものである。
【先行技術文献】
【特許文献】
【０００５】
【特許文献１】特開２００２−２２１３８８号公報
【発明の概要】
【発明が解決しようとする課題】
【０００６】
このような従来の洗濯物を室内で乾燥させる装置においては、浴室空間を加熱とともに換気を行なうことにより浴室内部に吊り干された洗濯物を乾燥させる構成となっていたので、洗濯物を吊り干す空間としての浴室に洗濯機が設置されていない場合が一般的であった。
【０００７】
従って、洗濯終了後の洗濯機から洗濯物を取り出し洗濯物を吊り干す作業において、洗濯機が設置されている空間から洗濯物を吊り干すための浴室まで洗濯物を移動させる必要があり、洗濯干しにおける作業負担が大きいといった課題を有していた。
【０００８】
そこで本発明は、上記従来の課題を解決するものであり、洗濯を吊り干すために洗濯物を移動させる運搬作業を少なくし、洗濯干しにおける作業負担の軽減を図る洗濯物の乾燥方法と洗濯物の乾燥システムを提供することを目的とする。
【課題を解決するための手段】
【０００９】
そして、この目的を達成するために、本発明は、洗濯機と、室内空間の空気を循環させる送風手段と、室内空間の空気を排気する排気手段とを室内空間に備え、送風手段は循環気流の出口である吹出口を有し、吹出口から吹出される気流が洗濯物にあたるように前記洗濯物を配置したとしたものであり、これにより所期の目的を達成するものである。
【００１０】
また本発明は、洗濯機と、物干し竿と、室内空間の空気を循環させる送風手段と、室内空間の空気を排気する排気手段とを室内空間に備え、物干し竿には洗濯物が吊り下げられ、送風手段は循環気流の出口である吹出口を有し、吹出口から吹出される気流が洗濯物にあたるように物干し竿を配置した。
【発明の効果】
【００１１】
本発明によれば、洗濯機と、室内空間の空気を循環させる送風手段と、室内空間の空気を排気する排気手段とを室内空間に備え、送風手段は循環気流の出口である吹出口を有し、吹出口から吹出される気流が洗濯物にあたるように前記洗濯物を配置したことにより、洗濯と洗濯干しといった異なる作業が同一の空間内で完結するので、洗濯物の吊り干し作業を効率的に行なうことができる。
【００１２】
また本発明によれば、洗濯機と、物干し竿と、室内空間の空気を循環させる送風手段と、室内空間の空気を排気する排気手段とを室内空間に備え、物干し竿には洗濯物が吊り下げられ、送風手段は循環気流の出口である吹出口を有し、吹出口から吹出される気流が洗濯物にあたるように物干し竿を配置したことにより、作業者が洗濯物を干す場合に、洗濯物を竿に吊るといった単純作業を行なうだけで、最も乾燥しやすい位置へ誘導することとなるので、作業者の乾燥に対する心理的負担を軽減することができる。
【図面の簡単な説明】
【００１３】
【図１】本発明の実施の形態１における洗濯物の室内乾燥システムの構成を示す平面図
【図２】本発明の実施の形態１における洗濯物の室内乾燥システムの構成を示すＸ―Ｘ´断面図
【図３】本発明の実施の形態１における洗濯物の室内乾燥システムの構成を示すＹ−Ｙ´断面図
【図４】本発明の実施の形態１における洗濯物の室内乾燥システムの構成を示す断面詳細図
【図５】本発明の実施の形態２における洗濯物の室内乾燥システムの構成を示す断面詳細図
【図６】本発明の実施の形態３における洗濯物の室内乾燥システムの構成を示す平面図
【図７】本発明の実施の形態３における洗濯物の室内乾燥システムの構成を示すＺ−Ｚ´断面図
【図８】従来の洗濯物を室内で乾燥させる装置の構成を示す断面図
【発明を実施するための形態】
【００１４】
本発明の請求項１記載の洗濯物の乾燥方法は、洗濯機と、室内空間の空気を循環させる送風手段と、室内空間の空気を排気する排気手段とを室内空間に備え、送風手段は循環気流の出口である吹出口を有し、吹出口から吹出される気流が洗濯物にあたるように洗濯物を配置するという構成を有する。これにより、洗濯と洗濯干しといった異なる作業が同一の空間内で完結するので、洗濯物の吊り干し作業を効率的に行なえるという効果を奏する。
【００１５】
また、洗濯機の上方空間に洗濯物を配置するという構成にしてもよい。これにより、洗濯機から洗濯物を取り出すと同時に洗濯干し作業に移ることができるので、作業者が移動することなく洗濯干し作業が実施できるという効果を奏する。
【００１６】
また、洗濯機の上方でない近傍空間に洗濯物を配置するという構成にしてもよい。これにより、長尺丈の洗濯物を干す場合であっても、洗濯物の裾が洗濯機に触れることがなくなるので、衛生的に洗濯物を干すことができるという効果を奏する。
【００１７】
本発明の請求項４記載の洗濯物の乾燥システムは、洗濯機と、物干し竿と、室内空間の空気を循環させる送風手段と、室内空間の空気を排気する排気手段とを室内空間に備え、物干し竿には洗濯物が吊り下げられ、送風手段は循環気流の出口である吹出口を有し、吹出口から吹出される気流が洗濯物にあたるように物干し竿を配置するという構成を有する。これにより、作業者が洗濯物を干す場合に、洗濯物を竿に吊るといった単純作業を行なうだけで、最も乾燥しやすい位置へ誘導することとなるので、作業者の乾燥に対する心理的負担を軽減することができるという効果を奏する。
【００１８】
また、洗濯機の上方空間に物干し竿を配置するという構成にしてもよい。これにより、洗濯機から洗濯物を取り出すと同時に物干し竿に洗濯を干せるので、作業者が移動することなく洗濯干し作業が実施できるという効果を奏する。
【００１９】
また、物干し竿の軸方向が洗濯機の背面と略平行となるように配置するという構成にしてもよい。これにより、洗濯干し作業者に対して物干し竿の軸方向が正対することとなるので、作業者が洗濯物をハンガーなどの吊り具を介して物干し竿に干し易くなるといった効果を奏する。
【００２０】
また、洗濯機の上方に、吹出口を配置するという構成にしてもよい。これにより、洗濯機の使用後に送風手段を運転することで洗濯機の洗濯層に気流が当たるので、洗濯機の洗濯層も乾燥させることができるという効果を奏する。
【００２１】
また、吹出口はスリット状であって、吹出口の長手方向が洗濯機の背面と略平行となるように配置するという構成にしてもよい。これにより、物干し竿に干された複数の洗濯物に対して満遍なく送風気流が当たることとなるので洗濯物に乾きムラがなくなるといった効果を奏する。
【００２２】
また、洗濯機の上方空間に物干し竿を配置するとともに、洗濯機より上方でない近傍空間にも物干し竿を配置するという構成にしてもよい。これにより、洗濯物を吊るす空間が広くなるので、大量の洗濯物を干すことができるという効果を奏する。
【００２３】
また、吹出口に気流方向を変化させる風向偏向手段を備えるという構成にしてもよい。これにより、物干し竿を並行に二本並べた場合でも均等に送風気流が当たることとなるので、洗濯物が多い場合であっても洗濯物の乾きムラを少なくできるといった効果を奏する。
【００２４】
また、室内空間の隣に浴室を配置し、浴室には浴室の空気を屋外に排出する換気扇を有し、室内空間と浴室との間には開閉可能なドアを備え、排気手段としてドアにドア通風路を有するという構成にしてもよい。これにより、排気手段を室内空間に備える必要がなくなるので、イニシャルコストの削減ができるという効果を奏する。
【００２５】
また、送風手段の動作に連動し、換気扇が動作を開始するという構成にしてもよい。これにより、換気扇の発停操作を新たに実施する必要がないので、作業者の操作内容を軽減できるという効果を奏する。
【００２６】
以下、本発明の実施の形態について図面を参照しながら説明する。
【００２７】
（実施の形態１）
図１は、本発明の実施の形態１における洗濯物の室内乾燥システムの構成を示す平面図であり、図２は、本発明の実施の形態１における洗濯物の室内乾燥システムの構成を示すＸ―Ｘ´断面図であり、図３は、本発明の実施の形態１における洗濯物の室内乾燥システムの構成を示すＹ−Ｙ´断面図であり、図４は、本発明の実施の形態１における洗濯物の室内乾燥システムの構成を示す断面詳細図ある。
【００２８】
図１および図２に示すように、室内空間１の床面２には洗濯機３が設置されている。そして、室内空間１の天井４には、室内空間１の空気を循環させる送風手段としての送風ユニット５が備えられている。送風手段としての送風ユニット５は吸込口６と送風手段としてのクロスフローファン７と吹出口８とが連通する構成となっており、吸込口６から室内空間１の空気を吸込み、クロスフローファン７で加圧送風され、吹出口８から室内空間１へ気流が吹出される。また、吸込口６には室内空間１から空気と共に流入する埃を除去するためのフィルター９が備えられている。
【００２９】
また、室内空間１の屋外に面する外壁１０には、排気手段としての窓１１が備えられ、窓１１は任意に開閉が可能であり窓１１を開放することにより室内空間１で洗濯物１２から発生する水蒸気の排出を行なうことができる。
【００３０】
室内空間１に設置された洗濯機３で洗濯を実施する作業者は、洗濯が完了した後に洗濯機３から洗濯物１２を取り出して、吹出口８から吹出される気流が洗濯物１２にあたるように洗濯物１２を配置することにより、洗濯物１２の乾燥を促進することができる。
【００３１】
このような構成によれば、洗濯と洗濯干しといった異なる作業が同一の空間内で完結し他室へ移動する必要がないので、洗濯物１２の吊り干し作業が効率的に行なうことができる。
【００３２】
また、洗濯機３が設置されている水平位置を基準とした上方に位置する空間を洗濯機３の上方空間４１と定義し、洗濯機３の上方空間４１に洗濯物１２を吊り干すための物干し竿１３が備えられており、洗濯物１２はハンガー１４などを介して物干し竿１３に吊り干される事となる。なお、物干し竿１３は洗濯物１２を吊り干す機能を有していればよく、例えば物干しロープや天井から吊り下げられた物干しフック等で代用してもよく、その作用効果に差異を生じない。
【００３３】
このような構成によれば、洗濯機３から洗濯物１２を取り出すと同時に洗濯干し作業に移ることができるので、作業者が室内空間１の中で移動することなく洗濯干し作業を実施することができる。
【００３４】
次に、各構成要素の相互の位置関係に関して説明をする。
【００３５】
図１に示すように、洗濯機３を構成している上面と下面とを除く外郭面のうち、使用者が洗濯機３を使用する場合に使用者が対向する外郭面を洗濯機正面１５、その正反対に位置する外郭面を洗濯機背面１６、残りの二つの外郭面を洗濯機側面１７として、ここでは定義し使用する。
【００３６】
図３に示すように、物干し竿１３はその竿方向の軸線Ａが水平となるように、洗濯機側面１７に面する壁１８を橋渡しする形で固定されており、その竿部分は洗濯機３の上部空間に位置している。物干し竿１３が固定されている位置としては、高さ方向では一般的な大人であれば容易に洗濯物の吊り干し作業を実施できる高さ、かつ比較的丈の短い衣類を物干し竿１３に吊るした状態において洗濯機３に接触することなく干すことができる高さである。ここで言う比較的丈の短い衣類とは、一般的に上半身に身に着けるトップスと呼ばれているワイシャツやブラウスなどをさしている。具体的な高さとしては、例えば床面を基準として１９００ｍｍ程度である。
【００３７】
一方、水平方向では、図１と図２に示すように、物干し竿１３はその軸方向が洗濯機背面１６と略平行となるように配置されている。そして、洗濯機背面１６と物干し竿１３との水平距離は、一般的な衣類がハンガー１４に干された状態でも洗濯物１２が壁１９に接触することのない距離であり、例えば洗濯機背面１６に位置する壁１９を基準として４００ｍｍ程度である。
【００３８】
このような構成によれば、洗濯機３に対して作業を行なう作業者にとって物干し竿１３の長手方向が必ず正対することにより、作業者が洗濯物１２をハンガー１４などの吊り具を介して物干し竿１３へ引っ掛け易くなる。
【００３９】
また、図４に示すように室内空間１の天井４には送風ユニット５が備えられているが、洗濯機３の上方に吹出口８が位置するように送風ユニット５が配置されている。そして、図４に示すように洗濯物１２を物干し竿１３に吊るさずに送風ユニット５に備えられたクロスフローファン７を運転させることで、洗濯機３の上面に気流が到達し、洗濯機３の蓋２０を開けた状態でクロスフローファン７を運転すると、洗濯機３に供えられている洗濯層２１の内部まで気流が到達することとなり洗濯機３の洗濯層２１を乾燥させることとなる。
【００４０】
このような構成によれば、洗濯機３で洗濯を行なった後に送風手段としての送風ユニット５を運転することにより洗濯機３の洗濯層２１も乾燥させることができる。
【００４１】
図１に示すように、送風ユニット５に備えられている吹出口８の開口形状はスリット形状であり、吹出口８のスリット形状に対する長手方向が洗濯機背面１６と略平行となるように配置されている。従って、洗濯機背面１６に対して、物干し竿１３の軸方向Ａと吹出口８のスリット形状に対する長手方向とのどちらも略平行に位置しており、吹出口８から吹出される気流が物干し竿１３の軸方向に対して均等に当たる構成となっている。
【００４２】
このような構成によれば、物干し竿１３に吊るされた複数の洗濯物１２に対して送風気流が満遍なく当たることにより、乾きムラを発生させずに複数の洗濯物１２を均等に乾燥させることができる。
【００４３】
このような構成によれば、洗濯物１２が最も乾燥しやすい位置に吊り干されるように物干し竿１３が事前に備えられているので、作業者が洗濯物１２を物干し竿１３に吊るといった単純作業を行なうだけでよく、作業者の乾燥に対する心理的負担を軽減することができる。
【００４４】
またこのような構成によれば、洗濯機３を設置する空間で洗濯物１２を乾燥することにより、洗濯機３が備えられた室内空間１の中へ乾燥を目的とした洗濯物１２を配置するので、洗濯物１２の吊り干し作業を効率的に行なうことができる。
【００４５】
なお、実施の形態１では、排気手段に窓を用い、窓を開放することで室内の水蒸気を屋外へ排出したが、窓にかえて室内空間１に備えられた換気扇を用い、換気扇を運転することで室内の水蒸気を屋外へ排出してもよく、その作用効果に差異を生じない。
【００４６】
（実施の形態２）
図５において、実施の形態１と同様の構成要素については同一の符号を付し、その詳細な説明は省略する。
【００４７】
図５は、本発明の実施の形態２における洗濯物の室内乾燥システムの構成を示す断面詳細図を示し、図５において洗濯機３の上方空間には洗濯物１２ａをハンガー１４ａを用いて吊り干すための物干し竿１３ａが備えられているとともに、洗濯機３の近傍空間として洗濯機正面１５が面している空間の上方空間である前面空間４０には、洗濯物１２ｂをハンガー１４ｂを用いて吊り干すための物干し竿１３ｂが備えられている。物干し竿１３ｂから垂直方向に対する床面までの下部空間は、洗濯機３の操作や洗濯作業の動線空間として位置づけられるため通常は何も設置されることがない。従って、物干し竿１３ｂには図５で示したような、下半身に身に着けるズボンやパンツといった比較的丈の長い洗濯物１２ｂを干しても、洗濯機３などの設置物や周囲の壁に接触することがないといえる。
【００４８】
このような構成によれば、洗濯機３より前面空間４０に洗濯物１２ｂを配置することにより、長尺丈の洗濯物を干す場合であっても、洗濯物の裾が洗濯機などに触れることによる洗濯物の汚損がなくなり、衛生的に洗濯物を干すことができる。また、洗濯機の上部空間に物干し竿を配置するとともに洗濯機より前面空間４０にも物干し竿を配置することにより、洗濯物を吊るす空間が広くなり、大量の洗濯物を干すことができる。
【００４９】
また、図５において、室内空間１の天井４には送風ユニット５が備えられている。そして、送風ユニット５の吹出口８には、室内空間１に対し吹出口８から出される気流方向を変化させる風向偏向手段としての風向ルーバー２２が備えられている。風向ルーバー２２は吹出口８のスリット形状に対する長手方向と平行なる軸を中心に、一定範囲の角度幅（例えば３０°〜６０°）を一定時間間隔（例えば、５秒から１０秒程度の周期）で往復動作を行なう。また図示していないが、風向ルーバー２２の駆動手段としてはステッピングモータなどが用いられる。
【００５０】
上記構成において、送風ユニット５の吹出口８から吹出される気流は、広角な範囲に対してその風向を変化させることができ、平面視で物干し竿１３ａと物干し竿１３ｂとの中央位置に送風ユニット５を配置することにより、物干し竿１３ａと物干し竿１３ｂに吊り干されたいずれの洗濯物１２ａ、１２ｂに均等に気流が当たることとなり、洗濯物１２ａ、１２ｂのいずれに対しても乾燥を促進することが可能となる。
【００５１】
このような構成によれば、吹出口８に気流方向を変化させる風向偏向手段としての風向ルーバー２２を備えることにより、物干し竿１３ａ、１３ｂを並行に二本並べた場合でも洗濯物１２ａ、１２ｂに均等に送風気流が当たることとなり、洗濯物の乾きムラを少なくできる。
【００５２】
（実施の形態３）
図６および図７において、実施の形態１と同様の構成要素については同一の符号を付し、その詳細な説明は省略する。
【００５３】
図６は、本発明の実施の形態３における洗濯物の室内乾燥システムの構成を示す平面図であり、図７は、本発明の実施の形態１における洗濯物の室内乾燥システムの構成を示すＺ―Ｚ´断面図である。
【００５４】
図６および図７に示すように、室内空間１は浴室３２の隣に配置され、室内空間１と浴室３２との間は連通かつ開閉可能なドア３３で仕切られている。ドア３３は排気手段としてのドア通風路３４を有し、室内空間１と浴室３２との間が連通されている。
【００５５】
また、浴室３２の天井３５には換気扇３６が備えられ、換気扇３６を運転させることにより浴室３２の空気が屋外へ排出されるに伴って、排気手段としてのドア通風路３４を介して室内空間１の空気が浴室３２へ移動する。従って、室内空間１の空気がドア通風路３４と浴室３２を介して屋外へ排出されることとなり、洗濯物１２から発生する水蒸気を適切に排出することができる。
【００５６】
このような構成によれば、浴室３２に換気扇３６を備え、ドア３３に排気手段としてのドア通風路３４を備えることにより、排気手段を室内空間１に備える必要がなくなるので、イニシャルコストを削減することができる。
【００５７】
また、送風手段としてのクロスフローファン７の運転に連動して電源を出力する連動端子（図示せず）が送風ユニット５に備えられ、連動端子と換気扇３６とが結線されており、クロスフローファン７の動作に連動して換気扇３６が運転を開始する構成となっており、換気扇３６の運転操作を新たに実施する必要がないので、作業者の操作内容を軽減することができる。
【産業上の利用可能性】
【００５８】
本発明にかかる洗濯物の室内乾燥方法と洗濯物の室内乾燥システムは、洗濯物の吊り干し作業を効率的におこなうことや、作業者の乾燥に対する心理的負担を軽減することを可能とするものであるので、住宅の洗面室や洗濯室などに使用される乾燥システム等として有用である。
【符号の説明】
【００５９】
１      室内空間
３      洗濯機
７      クロスフローファン
８      吹出口
１１    窓
１２    洗濯物
１２ａ  洗濯物
１２ｂ  洗濯物
１３    物干し竿
１３ａ  物干し竿
１３ｂ  物干し竿
２２    風向ルーバー
３２    浴室
３３    ドア
３４    ドア通風路
３６    換気扇
４０    前面空間
４１    上方空間
【図１】
2011030875.tif 000003
【図２】
2011030875.tif 000004
【図３】
2011030875.tif 000005
【図４】
2011030875.tif 000006
【図５】
2011030875.tif 000007
【図６】
2011030875.tif 000008
【図７】
2011030875.tif 000009
【図８】
2011030875.tif 000010